(57)【要約】本発明はデバイスグリッパに関し、把持可能な一対の取っ手が形成されたグリッパ本体と、前記一対の取っ手の間に互いに対向配置され、前記グリッパ本体に回動可能に結合され、デバイスの一端部が着脱される１つ以上の装着溝がそれぞれ形成され、前記デバイスを装着及び分離するように互いに接近及び離間する一対のデバイス着脱部とを含むことを特徴とする。
2019504582.tif 000002
【特許請求の範囲】
【請求項１】
把持可能な一対の取っ手が形成されたグリッパ本体と、
前記一対の取っ手の間に互いに対向配置され、前記グリッパ本体に回動可能に結合され、デバイスの一端部が着脱される１つ以上の装着溝がそれぞれ形成され、前記デバイスを装着及び分離するように互いに接近及び離間する一対のデバイス着脱部とを含む、デバイスグリッパ。
【請求項２】
前記グリッパ本体に設けられると共に、前記一対のデバイス着脱部の間に設けられ、前記一対のデバイス着脱部に装着された前記デバイスの背面を支持するデバイス支持部を更に含むことを特徴とする請求項１に記載のデバイスグリッパ。
【請求項３】
前記一対のデバイス着脱部の互いに対向する装着溝間の間隔は、前記デバイスの幅よりも小さなサイズを有することを特徴とする請求項１に記載のデバイスグリッパ。
【請求項４】
前記一対のデバイス着脱部に前記デバイスが装着されることによって前記グリッパ本体は湾曲するように弾性変形し、前記一対のデバイス着脱部は互いに接近するように弾性力を発生することを特徴とする請求項３に記載のデバイスグリッパ。
【請求項５】
前記デバイス着脱部と前記グリッパ本体の連結領域の弾性係数は、前記グリッパ本体の弾性係数よりも大きな大きさを有することを特徴とする請求項３に記載のデバイスグリッパ。
【請求項６】
前記装着溝の周囲には、波状の凹凸が形成されていることを特徴とする請求項１に記載のデバイスグリッパ。
【請求項７】
前記装着溝の周囲から突出し、前記装着溝に装着された前記デバイスの隅領域を支持するコーナー支持部を更に含むことを特徴とする請求項１に記載のデバイスグリッパ。
【発明の詳細な説明】
【技術分野】
【０００１】
本発明はデバイスグリッパに関し、より詳細には、デバイスを装着し、両手で把持した状態でデバイスによってディスプレイされるコンテンツを鑑賞できるデバイスグリッパに関する。
【背景技術】
【０００２】
近年、老若男女を問わず、場所や時間にとらわれずに携帯電話のような小型かつ軽量なデバイスによって動画のようなコンテンツを楽しんでいる。
【０００３】
特に、好奇心に満ちた乳児らは、デバイスでディスプレイされる動画に対して強い関心を持っている。
【０００４】
最近はこのような乳児らの好奇心を満たせるための最も普遍的な方法として、乳児らが楽しめる動画などのコンテンツが携帯電話のようなデバイスなどによって広く普及しているのが現状である。
【０００５】
ところで、乳児らが携帯電話のようなデバイスによって提供されるコンテンツを鑑賞するためには、自ら携帯電話を両手で持った状態で鑑賞しなければならない。
【０００６】
しかし、携帯電話は構造的に乳児らが把持するにはサイズが大きく、扁平かつ滑らかな構造により、乳児らが携帯電話を手で取り難いため、コンテンツの鑑賞が困難であるだけでなく、乳児が不快感を感じ易くなり、心理的な不安感を招くという問題がある。
【０００７】
また、お年寄りや体の不自由な人、患者などの場合にも筋力が低下し、携帯電話を手で取ることが困難であり、コンテンツの鑑賞が難しいという問題がある。
【０００８】
従って、両手で把持した状態でデバイスによってディスプレイされるコンテンツを安定して鑑賞できるデバイスグリッパの開発が要求されているのが現状である。
【発明の概要】
【発明が解決しようとする課題】
【０００９】
本発明は上記事情に鑑みてなされたものであって、その目的は、手で安定して把持した状態で心理的な安定感を有し、デバイスによってディスプレイされるコンテンツを鑑賞できるデバイスグリッパを提供することにある。
【課題を解決するための手段】
【００１０】
本発明の目的は、把持可能な一対の取っ手が形成されたグリッパ本体と、前記一対の取っ手の間に互いに対向配置され、前記グリッパ本体に回動可能に結合され、デバイスの一端部が着脱される１つ以上の装着溝がそれぞれ形成され、前記デバイスを装着及び分離するように互いに接近及び離間する一対のデバイス着脱部とを含む、デバイスグリッパにより達成されることができる。
【００１１】
ここで、前記グリッパ本体に設けられると共に、前記一対のデバイス着脱部の間に設けられ、前記一対のデバイス着脱部に装着された前記デバイスの背面を支持するデバイス支持部を更に含むことができる。
【００１２】
前記一対のデバイス着脱部の互いに対向する装着溝間の間隔は、前記デバイスの幅よりも小さなサイズを有することができる。
【００１３】
前記一対のデバイス着脱部に前記デバイスが装着されることによって前記グリッパ本体は湾曲するように弾性変形し、前記一対のデバイス着脱部は互いに接近するように弾性力を発生することができる。
【００１４】
前記デバイス着脱部と前記グリッパ本体の連結領域の弾性係数は、前記グリッパ本体の弾性係数よりも大きな大きさを有することができる。
【００１５】
前記装着溝の周囲には、波状の凹凸が形成されることができる。
【００１６】
前記装着溝の周囲から突出し、前記装着溝に装着された前記デバイスの隅領域を支持するコーナー支持部を更に含むことができる。
【発明の効果】
【００１７】
本発明によれば、手で安定して把持した状態で心理的な安定感を有し、デバイスによってディスプレイされるコンテンツを鑑賞できるという効果を奏する。
【図面の簡単な説明】
【００１８】
【図１】本発明の第１実施形態に係るデバイスグリッパの斜視図である。
【図２】図１のデバイスグリッパにデバイスが装着される前の状態の正面図である。
【図３】図１のデバイスグリッパにデバイスが装着された状態の正面斜視図である。
【図４】図１のデバイスグリッパにデバイスが装着された状態の背面斜視図である。
【図５】本発明の第２実施形態に係るデバイスグリッパの斜視図である。
【図６】図５のデバイスグリッパにデバイスが装着される前の状態の正面図である。
【図７】図５のデバイスグリッパにデバイスが装着された状態の正面斜視図である。
【図８】図５のデバイスグリッパにデバイスが装着された状態の背面斜視図である。
【図９】本発明の第３実施形態に係るデバイスグリッパの斜視図である。
【図１０】図９のデバイスグリッパにデバイスが装着された状態の正面斜視図である。
【発明を実施するための形態】
【００１９】
以下、添付の図面を参照して本発明について詳細に説明する。
【００２０】
説明に先立ち、多様な実施形態において、同一の構成を有する構成要素に対しては同一の符号を付して代表的に第１実施形態で説明し、その他の実施形態では第１実施形態と異なる構成についてのみ説明する。
【００２１】
図１〜図４には、本発明の第１実施形態に係るデバイスグリッパが示されている。
【００２２】
説明に先立ち、以下では一例としてフラット状のデバイス５が示されているが、本発明に係るデバイスグリッパ１０は、スマートフォンのような端末にも適用され得ることを予め明らかにしておく。
【００２３】
一方、本発明の第１実施形態に係るデバイスグリッパ１０は、全体的に隅部分がラウンドに形成されており、デバイス５が装着されていない状態で扁平な形状を有する。
【００２４】
本発明の第１実施形態に係るデバイスグリッパ１０は、グリッパ本体１１と、一対のデバイス着脱部２１とを含む。
【００２５】
グリッパ本体１１は閉ループ形状を有し、両端部には把持可能な一対の取っ手１３が形成されている。以下では説明の便宜上、デバイス５が装着されるグリッパ本体１１の前面領域を前方といい、グリッパ本体１１の背面領域を後方という。
【００２６】
一対のデバイス着脱部２１は、一対の取っ手１３の間に互いに対向配置され、グリッパ本体１１に回動可能に結合される。一対のデバイス着脱部２１は、デバイス５を装着及び分離するように互いに接近及び離間する。
【００２７】
各デバイス着脱部２１には、デバイス５の一端部が着脱される１つの装着溝２３が形成されている。一対のデバイス着脱部２１の互いに対向する装着溝２３間の間隔は、デバイス５の幅よりも小さなサイズを有する。これにより、一対のデバイス着脱部２１の各装着溝２３にデバイス５を装着する場合、一対のデバイス着脱部２１は互いに離間しながらグリッパ本体１１の後方に広げられ、デバイス５を一対のデバイス着脱部２１の各装着溝２３に装着させる。
【００２８】
一方、各デバイス着脱部２１とグリッパ本体１１の連結領域は、一定の弾性係数を有する膜ヒンジとしての役割を果たし、各デバイス着脱部２１とグリッパ本体１１の連結領域の弾性係数は、グリッパ本体１１の弾性係数よりも大きな大きさを有する。これにより、一対のデバイス着脱部２１にデバイス５を装着する場合、一対のデバイス着脱部２１がグリッパ本体１１に比べてより一層大きく弾性変形するようになる。
【００２９】
また、装着溝２３の周囲には波状の凹凸２５が形成されている。これにより、装着溝２３に装着されたデバイス５が遊動するのを抑止し、デバイス５を装着溝２３に更に安定して固定することができるようになる。ここで、装着溝２３の周囲には凹凸２５が形成されないこともある。また、本実施形態では１つの装着溝２３が形成されていることが示されているが、これに限定されず、複数の装着溝２３が間隔をおいて形成されることができる。
【００３０】
これにより、本発明の第１実施形態に係るデバイスグリッパ１０は、各隅部分が緩やかにラウンド加工され、一対のデバイス着脱部２１が対称配置され、全体としてグリッパ本体１１の前方から後方へ回動する形状を有する。
【００３１】
これにより、本発明の第１実施形態に係るデバイスグリッパ１０は、グリッパ本体１１と一対のデバイス着脱部２１がバンパとしての役割を果たすことができるようになり、使用中にデバイスグリッパ１０が落とされてもデバイス５の損傷を減らすだけでなく、使用者が見易い視聴角度を維持する。なお、乳児らがデバイスグリッパ１０を起き上り小法師（だるま）のように動かし、おもちゃのように持って遊ぶこともできる。
【００３２】
また、本発明の第１実施形態に係るデバイスグリッパ１０は、弾性を有する合成樹脂、トウモロコシ澱粉、シリコン、無毒性のゴム材質からなる。特に、デバイスグリッパ１０がトウモロコシ澱粉の材質からなる場合、内分泌攪乱物質などの有害物質が排出される心配がなく、使用後に廃棄されて埋め立てられても時間が経つにつれて自然に腐食し、二次汚染を低減させることができるようになる。また、デバイスグリッパ１０がシリコン又は無毒性のゴム材質からなる場合、デバイスグリッパ１０を乳児らが歯がためとして使用することもできる。
【００３３】
このような構成によって、本発明の第１実施形態に係るデバイスグリッパ１０にデバイス５を装着する過程について説明すれば、次の通りである。
【００３４】
まず、図２に示されているように、一対のデバイス着脱部２１が互いに接近した状態で、図３に示されているように、各デバイス着脱部２１の装着溝２３にデバイス５の両端部を挿入する。
【００３５】
このとき、デバイス５の幅が各デバイス着脱部２１の装着溝２３間の間隔よりも相対的に大きいので、一対のデバイス着脱部２１は互いに離間し、グリッパ本体１１の前方から後方へ回動するようになる。
【００３６】
一対のデバイス着脱部２１がグリッパ本体１１の後方へ移動することによってグリッパ本体１１も後方へ湾曲するように弾性変形する。
【００３７】
そして、デバイス着脱部２１とグリッパ本体１１の連結領域の弾性係数は、グリッパ本体１１の弾性係数よりも大きな大きさを有するので、グリッパ本体１１と一対のデバイス着脱部２１の連結領域は、自らの弾性復原力により収縮し、一対のデバイス着脱部２１を互いに接近させる。
【００３８】
これにより、デバイス５は、図３及び図４に示されているように、一対のデバイス着脱部２１の装着溝２３に揺れ動くことなく、安定して装着される。
【００３９】
そして、デバイス５によってコンテンツをディスプレイさせた状態で、使用者が両手で各取っ手１３を取ってディスプレイされるコンテンツを鑑賞できるようになる。
【００４０】
特に、乳児らが本発明の第１実施形態に係るデバイスグリッパ１０を使用する場合、乳児らがおもちゃのように持って遊ぶことができるだけでなく、手で安定して把持した状態で心理的な安定感を有し、デバイス５によってディスプレイされるコンテンツを鑑賞できるようになる。
【００４１】
また、本発明の第１実施形態に係るデバイスグリッパ１０は、図４に示されているように、グリッパ本体１１の下端部と一対のデバイス着脱部２１の下端部をテーブルに載置して使用することもできるようになる。
【００４２】
図５〜図８には、本発明の第２実施形態に係るデバイスグリッパが示されている。
【００４３】
本発明の第２実施形態に係るデバイスグリッパ１０’は、前述した第１実施形態のデバイスグリッパ１０とは異なり、一対のデバイス着脱部２１の各装着溝２３に装着されたデバイス５の背面を支持するデバイス支持部１５を更に含む。
【００４４】
デバイス支持部１５はグリッパ本体１１に設けられると共に、一対のデバイス着脱部２１の間に設けられる。
【００４５】
このような構成によって、図６に示されているように、一対のグリッパ本体１１が互いに接近した状態で、図７に示されているように、各デバイス着脱部２１の装着溝２３にデバイス５の両端部が装着されることによって、一対のデバイス着脱部２１は互いに離間し、グリッパ本体１１の前方から後方へ回動するようになる。
【００４６】
一対のデバイス着脱部２１がグリッパ本体１１の後方へ移動することによってグリッパ本体１１も後方へ湾曲するように弾性変形する。
【００４７】
このとき、デバイス着脱部２１に装着されたデバイス５がデバイス支持部１５に支持され、グリッパ本体１１と各デバイス着脱部２１の連結領域は、自らの弾性復原力により収縮し、一対のデバイス着脱部２１を互いに接近させる。
【００４８】
これにより、デバイス５は、図７及び図８に示されているように、一対のデバイス着脱部２１の装着溝２３に搖れ動くことなく、安定して装着される。
【００４９】
従って、デバイス５がデバイス着脱部２１に装着された状態でディスプレイされるコンテンツを鑑賞する途中に、使用者が両手で各デバイス着脱部２１をグリッパ本体１１の後方へ過度に回動させても、デバイス５の背面はデバイス支持部１５により支持されているので、デバイス５はデバイス着脱部２１の装着溝２３から容易に離脱しなくなり、本発明の他の実施形態に係るデバイスグリッパ１０’は、前述した一実施形態に比べて、ディスプレイされるコンテンツをより安定的に鑑賞できるようになる。
【００５０】
また、本発明の第２実施形態に係るデバイスグリッパ１０’は、図８に示されているように、本発明の第１実施形態に係るデバイスグリッパ１０と同様、グリッパ本体１１の下端部と一対のデバイス着脱部２１の下端部をテーブルに載置して使用することもできるようになる。
【００５１】
図９及び図１０には、本発明の第３実施形態に係るデバイスグリッパが示されている。
【００５２】
本発明の第３実施形態に係るデバイスグリッパ１０'’は、前述した実施形態とは異なり、装着溝２３の周囲から突出し、装着溝２３に装着されたデバイス５の隅領域を支持するコーナー支持部２７を更に含む。
【００５３】
これにより、コーナー支持部２７によりデバイス着脱部２１に装着されたデバイス５のグリップ力を更に向上させ、デバイス５が外力によりデバイス着脱部２１から容易に離脱するのを抑止することができる。
【００５４】
また、本発明の第３実施形態に係るデバイスグリッパ１０'’は、前述した第２実施形態とは異なり、一対の取っ手１３を連結するグリッパ本体１１の上部連結部１４及び下部連結部１４’が互いに一定の間隔を有し、デバイス支持部１５の上部及び下部縁に沿って連結されている。
【００５５】
これにより、デバイス５がデバイス着脱部２１に装着された状態でデバイス支持部１５に支持されるとき、デバイス５はグリッパ本体１１に係止維持され、外力によりデバイス着脱部２１から容易に離脱しなくなる。
【００５６】
そして、グリッパ本体１１の上部連結部１４及び下部連結部１４’間の幅よりも小さなサイズを有するデバイス５がデバイス着脱部２１に装着された状態でデバイス支持部１５に支持されるとき、デバイス５の上部及び下部縁がグリッパ本体１１の各連結部１４、１４’に支持されないが、グリッパ本体１１の各連結部１４、１４’により一対のデバイス着脱部２１が一定間隔以上離間しなくなり、デバイス５は外力によりデバイス着脱部２１から容易に離脱しなくなる。
【００５７】
また、本発明の第３実施形態に係るデバイスグリッパ１０'’は、前述した実施形態とは異なり、デバイス着脱部２１に装着されたデバイス５を充電するための充電ポート３１を更に含む。
【００５８】
このように、本発明によれば、デバイスの一端部が着脱される１つ以上の装着溝がそれぞれ形成された一対のデバイス着脱部を一対の取っ手が形成されたグリッパ本体に回動可能に結合し、デバイスを装着及び分離するように一対のデバイス着脱部を互いに接近及び離間することによって、手で安定して把持した状態で心理的な安定感を有し、デバイスによってディスプレイされるコンテンツを鑑賞できるようになる。
【００５９】
一方、本発明に係るデバイスグリッパは、デバイス着脱部に装着されたデバイスを充電するための充電ポートを更に含むこともできる。
【００６０】
また、前述した実施形態では示されていないが、本発明に係るデバイスグリッパは、一対のデバイス着脱部に着脱し、使用者の視力を保護するための保護グラスを更に含むこともできる。
【図１】
2019504582.tif 000003
【図２】
2019504582.tif 000004
【図３】
2019504582.tif 000005
【図４】
2019504582.tif 000006
【図５】
2019504582.tif 000007
【図６】
2019504582.tif 000008
【図７】
2019504582.tif 000009
【図８】
2019504582.tif 000010
【図９】
2019504582.tif 000011
【図１０】
2019504582.tif 000012
【国際調査報告】
2019504582.tif 000013
2019504582.tif 000014
2019504582.tif 000015
2019504582.tif 000016